(57)【特許請求の範囲】
【請求項１】
下ケース及び該下ケースの上部に重ね合わせる上ケースにより、磁気テープを巻装した単一のリールを回転可能に収容するカートリッジケースを備え、前記磁気テープの先端に該磁気テープを引き出すためのリーダーピンが固着され、該リーダーピンの両端部が前記カートリッジケースの開口部内の凹状収納部に着脱可能にロック部材によって固定保持され、記録再生装置の係合部材が前記開口部から挿入され回動動作によって前記リーダーピンが係合保持されて引き出される磁気テープカートリッジにおいて、
前記収納部は、円弧面と該円弧面の両側に続く、該円弧面と同じ高さの平行面とによる凹部周面を有すると共に、前記係合部材の回動方向の前面側の前記平行面に、前記リーダーピンの端部と接触して該リーダーピンの係合時にカートリッジケースの前壁側へリーダーピンが移動するのを規制する当接部が形成されており、
前記ロック部材が、前記収納部に対して、前記カートリッジケースの前壁側に設置されていることを特徴とする磁気テープカートリッジ。
【発明の詳細な説明】
【０００１】
【発明の属する技術分野】
本発明は、カートリッジケース内に磁気テープが巻装された単一のリールを回転可能に収容し、この磁気テープの先端に該磁気テープを引き出すためのリーダーピンを固着してなる磁気テープカートリッジに関し、特に、上記リーダーピンを着脱可能に保持する収納部の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはリーダ部材（本発明ではリーダーピン）が固着され、このリーダ部材を記録再生装置側で引き出して巻き取り又は巻き戻しを行うように構成される。そして、上記リーダ部材は、カートリッジケースに着脱可能に凹状収納部に保持されるものであり、その保持にロック部材のバネ力が使用される。
【０００４】
【発明が解決しようとする課題】
しかして、記録再生装置側の係合部材によって前記リーダーピンを係合してカートリッジケースの開口部から引き出す際に、この係合部材が開口部から挿入され回動動作によって前記リーダーピンを引っ掛けるように係合保持するように設けるのが記録再生装置の機構の簡素化が図れるものであるが、このように回動してリーダーピンを係合する際に、その係合に伴ってリーダーピンが移動するとリーダーピンの係合が確実に行えない恐れがある。
【０００５】
具体的には、図１４に示すような形態が考えられている。磁気テープ６の先端に固着されたリーダピン５は、カートリッジケース４における下ケース３（上ケースでも同様）の側面に開口された開口部１０から出し入れされ、この開口部１０の内方の上下壁面にはリーダピン５の端部が挿入係止される凹状の収納部５５が設けられ、この収納部５５から開口部１０に向けてテーパー状の挿入案内部２１が設けられている。そして、上記リーダピン５を前記収納部５５に着脱可能に保持するロック部材５０は平面が略Ｕ字形状であり、板状の取付部５０ａがケース側壁３ｂ（前壁）に沿って下ケース３の底面に立設された取付ボス５１によって側壁３ｂとの間に挟持される。上記取付部５０ａの後端から前方に湾曲した上下端部には開口部１０に向けて伸びる弾性腕部５０ｂが連設され、この弾性腕部５０ｂの先端にリーダピン５の両端部に当接する保持部５０ｃが設けられる。
【０００６】
一方、上記収納部５５は、前記リーダーピン５の端部周面に接触して受ける円弧状の当接面を有するが、この当接面は前記ロック部材５０の弾性腕部５０ｂ及び保持部５０ｃの設置スペースを確保することから、このロック部材５０側の部分（ケース前壁側部分）が切り取られ、リーダーピン５の開口部１０と平行な中心線より奥側の部分が短い範囲に形成されている。その他の磁気テープカートリッジの構造は後述の図１〜図３の構造と同様であり、その説明を参照されたい。
【０００７】
上記収納部５５に保持されたリーダーピン５の引き出し（ローディング）は、記録再生装置の係合部材６０（リーダーブロック）によって行われ、この係合部材６０は一側部にリーダーピン５の上下の係合部５ｃ（後述の図２参照）と係合する係合切欠き６０ａを有する。上記係合部材６０による係合動作は、まず、カートリッジケース４の開口部１０に対して矢印Ａ方向に移動し、リーダーピン５のケース前面側の側壁３ｂから離れた位置に向けて開口部１０内に進入し、続いて先端が円弧状にリーダーピン５に接近する矢印Ｂ方向にケース前面側に回動し、その係合切欠き６０ａがリーダーピン５の係合部５ｃに係合して引っ掛けた後、矢印Ｃ方向に後退移動してリーダーピン５を開口部１０からカートリッジケース４の外部に引き出すものである。
【０００８】
上記リーダーピン５の引き出し動作において、係合部材６０が矢印Ｂ方向に回動してリーダーピン５を係合する際に、リーダーピン５が係合部材６０と接触して、矢印Ｂ方向の係合力を受ける場合があり、その際に、収納部５５の当接面は上記係合部材６０の矢印Ｂ方向の回動動作に対する前面側が除去されていることで、ロック部材５０の付勢力だけでは抗しきれずにリーダーピン５が収納部５５から外れるか傾いて、係合部材６０に正常に保持されずにローディング動作不良が発生して使用上の信頼性を損なう恐れがある。
【０００９】
本発明は上記点に鑑みなされたもので、回動移動する係合部材によるリーダーピンの係合時にリーダーピンの移動を阻止し、確実なローディングが行えるようにした磁気テープカートリッジを提供せんとするものである。
【００１０】
【課題を解決するための手段】
上記課題を解決した本発明の磁気テープカートリッジは、下ケース及び該下ケースの上部に重ね合わせる上ケースにより、磁気テープを巻装した単一のリールを回転可能に収容するカートリッジケースを備え、前記磁気テープの先端に該磁気テープを引き出すためのリーダーピンが固着され、該リーダーピンの端部が前記カートリッジケースの開口部内の凹状収納部に着脱可能にロック部材によって固定保持され、記録再生装置の係合部材が前記開口部から挿入され回動動作によって前記リーダーピンが係合保持されて引き出される磁気テープカートリッジにおいて、前記収納部は、前記係合部材の回動方向の前面側に、前記リーダーピンの端部と接触して該リーダーピンの係合時の移動を規制する当接部が形成されたことを特徴とするものである。
【００１１】
前記当接部の形成に伴い、ロック部材の形態を変更するか、ロック部材の設置位置を係合部材の挿入側とするのが好ましい。
【００１２】
なお、前記当接部は、前記収納部における少なくとも開口部と反対の方向からケース前面側の範囲において、係合部材の回動方向の前面側の部分に形成するものである。
【００１３】
【発明の効果】
上記のような本発明の磁気テープカートリッジによれば、リーダーピンを収容する収納部における係合部材の回動方向の前面側にリーダーピンの端部と接触してリーダーピンの係合時の移動を規制する当接部を形成したことにより、ローディング時に係合部材が回動してリーダーピンを係合する際に、係合部材がリーダーピンと接触してケース前面側に押す力を受けても、リーダーピンは上記係合部材の回動動作の前方に位置する収納部の当接部によってその移動が阻止され、リーダーピンが収納部から外れたり傾くのが防止でき、リーダーピンは係合部材に正常に保持されて確実なローディング動作が行え使用上の信頼性を確保できる。
【００１４】
【発明の実施の形態】
以下、図面に示す実施の形態に基づいて本発明を詳細に説明する。図１は一つの実施の形態の磁気テープカートリッジの分解斜視図、図２はスライドドアが開いた状態の開口部近傍の正面図、図３は図２の上ケースを除去した状態の開口部近傍の平面図、図４は収納部の斜視図、図５はロック部材の斜視図である。この明細書での前後方向は、磁気テープカートリッジの装填方向（図１の斜め右上方向）に対応して表記している。
【００１５】
磁気テープカートリッジ１は、上ケース２と下ケース３とがビス等により締結されてなるカートリッジケース４内に、先端にリーダーピン５が固着された磁気テープ６を巻装した単一のリール７が回動可能に収容される。上記上下ケース２，３の一側壁２ｂ，３ｂには、磁気テープ６を引き出すための開口部１０が形成され、この開口部１０は図示しないスプリングで閉方向に付勢されたスライドドア１１により開閉され、開口部１０近傍には上記スライドドア１１が摺動する溝状のドアレール１２（図３参照）が形成される。
【００１６】
また、磁気テープカートリッジ１はその不使用時に磁気テープ６が完全にリール７に巻き込まれた状態で、先端のリーダーピン５が開口部１０の近傍に形成された凹状の収納部２０に係止保持される。この収納部２０には開口部１０に向けて誘い込み構造に形成された挿入案内部２１（ガイド面）が連設され、奥部の収納部２０に向けてリーダーピン５の端部を案内する。
【００１７】
前記リーダーピン５は、磁気テープカートリッジ１を使用する記録再生装置のドライブ装置が磁気テープ６を装置内のテープ走行路に導入するために、前記係合部材６０（図１４参照）で保持されて引き出されるローディング用のものである。また、上記リーダーピン５を前記収納部２０に着脱可能に保持する板バネによるロック部材９が設置されている。
【００１８】
リーダーピン５は図２に示すように、磁気テープ６の先端部を巻き付けて断面Ｃ形のクランプ部材５ｅの嵌着によりクランプする軸状のテープクランク部５ａを中央に有し、このテープクランプ部５ａの上下両側に板状の上下フランジ部５ｂ，５ｂが連設され、さらに上下フランジ部５ｂの上下に記録再生装置の係合部材６０の係合切欠き６０ａで係合保持される細い係合部５ｃ，５ｃがそれぞれ軸方向に延びて形成され、両端にはケース固定用の固定部５ｄ，５ｄが形成されてなる。このリーダーピン５は例えば金属棒（ステンレス鋼等）の削り出しによって形成され、そのテープクランプ部５ａは長さが磁気テープ６の幅に設けられている。前記クランプ部材５ｅは樹脂成形品であり、前記リーダーピン５のテープクランプ部５ａの長さに相当する軸方向長さを有し、その全長に渡って軸方向に延びるスリットが開口された断面Ｃ形に形成され、テープクランプ部５ａの外周に弾性的に嵌着可能に設けられている。
【００１９】
前記ロック部材９（図５参照）は上下一体であり、略矩形板状の取付部９ａが、前記上ケース２及び下ケース３の重ね合わせで、ケース側壁２ｂ，３ｂ（前壁）の近傍に設けられたバネ装着部２３（上ケース２については図示していないが下ケース３と対称同形状である）に係合されて保持される。上記取付部９ａのリーダーピン５側の縁部の上下両端部に、リーダーピン５の方向に前記取付部９ａから屈曲して延びる弾性腕部９ｂが連接され、この腕部９ｂの先端保持部９ｃがリーダーピン５の固定部５ｄの外周に当接する。該保持部９ｃは、リーダーピン５側に突出する山形に設けられ、先端側の斜面で開口部１０から挿入移動するリーダーピン５に接触して弾性腕部９ｂが撓み変形し、内部側の斜面でリーダーピン５を収納部２０内に押圧保持するようになっている。また、前記取付部９ａの上下端部には係合凹部９ｄが設けられている。なお、上下の弾性腕部９ｂ，９ｂは、根元部分で上下連結するように設けてもよい。
【００２０】
前記のようなロック部材９を保持する上下ケース２，３のバネ装着部２３は、上下ケース２，３の側壁２ｂ，３ｂ（前壁）の内面に形成された２つのリブ２３ａ，２３ａと、その中間における底面に立設された突起２３ｂとの間に取付部９ａが挿入されると共に、底面の凸部２３ｃに係合凹部９ｄが嵌合して、ロック部材９を保持するように設けられている。また、奥部側の端部には、ロック部材９の取付部９ａにおける腕部９ｂと反対側の端部を直立状態に保持する倒れ規制部２３ｄが設けられている。
【００２１】
そして、前記収納部２０は、図３及び図４に示すように、開口部１０と平行な中心線より奥側の１／２周の円弧面とこの円弧面の両側に続く平行面とによる凹部周面２０ａと、平坦な底面２０ｂとによる略Ｕ字状の凹部で形成され、凹部周面２０ａの高さ（凹部の深さ）はリーダーピン５の固定部５ｄの高さより低く形成されている。また、前記凹部周面２０ａは、記録再生装置の係合部材６０（図１４参照）のローディング動作における矢印Ｂ方向の回動動作の前方部分（ケースの前面側）の範囲に形成された当接部２２を有している。上記凹部周面２０ａの円弧面はリーダーピン５の固定部５ｄの外径に相当する内径に設けられ、収納したリーダーピン５をその中心位置に保持し、当接部２２はローディング時にリーダーピン５の固定部５ｄと接触して係合部材６０による係合時の移動を規制する。
【００２２】
前記収納部２０より開口部１０側の挿入案内部２１は、収納部２０の底面２０ｂに連続する平坦面２１ａと開口端の傾斜面２１ｂとで構成され、両側には前記収納部２０の凹部周面２０ａに連続して、開口部１０に向けて幅が広がる側面２１ｃが形成されている。上記側面２１ｃの開口部１０の近傍には、ドアレール１２が形成され、ケース前面側の斜面２１ｃには前記ロック部材９を設置するための凹部２５が形成され、腕部９ｂ前端の保持部９ｃがリーダーピン５の固定部５ｄに当接可能に設けられている。
【００２３】
なお、図１において、上下ケース２，３は略矩形状に形成され、上壁２ａ及び底壁３ａの周囲に側壁２ｂ，３ｂが設けられ、内部にはリール７の外周に沿う円弧状の内壁３ｃ（上ケース２については図示せず）が設けられている。下ケース３は前記側壁３ｂと内壁３ｃとの間に配設された４カ所のボス部３ｄ（開口部１０近傍のボス部はスライドドア１１で隠れている）を上ケース２の不図示のボス部と当接させて、底面からビスを締め付けて重ね合わせ状態で締結される。
【００２４】
また、前記下ケース３の中心部にはドライブ装置の駆動軸によって前記リール７を回転駆動するためのセンター穴３ｅが開口され、カートリッジケース４の後端部には書き込み防止用のライトプロテクタ部材１３が摺動可能に配設される。前記リール７の中心部には、不使用状態におけるリール７の回転を拘束する回転規制機構１５が設けられる。
【００２５】
その他、図示していないが、リール７の底面には中央部にマグネット式の回転駆動手段を吸引保持させるためのリールプレートが取り付けられ、外周部には回転駆動手段のドライブギヤと噛合するリールギヤが刻設されている。なお、リールギヤとドライブギヤが噛合した状態においては前記回転規制機構１５が解除作動してリール７が回転自在とされる。
【００２６】
本実施の形態によれば、リーダーピン５を収容する収納部２０に、係合部材６０の回動方向の前面側にリーダーピン５の固定部５ｄと接触する当接部２２を設け、前記係合部材６０による係合に伴う移動を当接部２２で規制することで、ローディング時に係合部材６０がリーダーピン５と接触してケース前面側に押す力を受けても、リーダーピン５が収納部２０から外れたり傾くのを防止し、確実なローディング動作が行える。
【００２７】
図６は他の実施の形態の磁気テープカートリッジの上ケースを除去した状態の要部平面図、図７は図６のＸ−Ｘ断面図である。
【００２８】
この例の上下ケース２，３及びリーダーピン５等の基本構造は前記実施の形態に示した構造と同様であり、ロック部材３０がリーダーピン５の反対側に配設され、収納部２０に当接部２２が形成されている。
【００２９】
すなわち、リーダーピン５を係止保持するロック部材３０が、下ケース３（上ケース２でも同様）におけるケース前面から離れた反対側に設置され、このロック部材３０を設置する凹部２５が反対側に形成されることで、収納部２０の前面側の凹部周面２０ａと挿入案内部２１の側壁２１ｃとが連続して形成され、収納部２０における係合部材６０の回動動作の前面側の係合時のリーダーピン５の移動を規制する当接部２２が広く形成されている。
【００３０】
前記ロック部材３０は線バネで上下別体に構成され、屈曲した取付部３０ａがケース下壁３ａの設置凹部２５の後端部に形成されたバネ装着部３１の屈曲溝部３１ａに嵌合固定され、ロック部材３０が所定の位置に保持される。上記バネ装着部３１から開口部１０に向けて延びる腕部３０ｂの先端に保持部３０ｃが連接され、該保持部３０ｃがリーダーピン５の固定部５ｄに当接し、リーダーピン５を収納部２０に押圧保持するようになっている。その他の構造は、図３と同様であり同一構造には同一符号を付してその説明を省略する。
【００３１】
なお、上記ロック部材３０は断面が円形状のもののほか、断面楕円形状又は断面角形状の線バネで構成するようにしてもよい。
【００３２】
本実施の形態によれば、ロック部材３０の配設位置を変更することにより、収納部２０のケース前面側の部分、すなわちローディング時の係合部材６０の回動操作の前面側部分の当接部２２が広い範囲に形成でき、ローディング時の係合力等によるリーダーピン５の収納部２０からの外れ及び傾きの発生を防止して、確実な係合部材６０によるリーダーピン５の係合保持が行える。
【００３３】
図８及び図９には、上記実施の形態におけるロック部材３２の他の態様を示している。
【００３４】
この態様では、リーダーピン５の反対側に配設されたロック部材３２は、線バネで上下別体に構成され、リング状に湾曲した取付部３２ａが、バネ装着部３３の溶着ボス３３ａに図９(Ａ)のように嵌合され、図９(Ｂ)のように溶着ボス３２ａの先端部が溶融された熱カシメによって固定される。上記取付部３２ａから開口部１０に向けて延びる腕部３２ｂの先端に保持部３２ｃが連接され、該保持部３２ｃがリーダーピン５の固定部５ｄに当接し、リーダーピン５を収納部２０に押圧保持するようになっている。また、バネ装着部３３は凹部２５の内面の前後に形成された突起３３ｂ、３３ｃを有し、この突起３３ｂ、３３ｃがロック部材３２の腕部３２ｂに当接してその配設位置を規定している。
【００３５】
図１０には、リーダーピン５の反対側に設置するロック部材３４のさらに他の態様を示している。
【００３６】
この態様では、線バネによるロック部材３４は略Ｕ字状に形成され、直線状の取付部３４ａから湾曲して開口部１０の方向に延びる腕部３４ｂの先端に、リーダーピン５の固定部５ｄに当接する保持部３４ｃが連接されている。そして、上記取付部３４ａの湾曲部がバネ装着部３５の取付ボス３５ａに係合されると共に、取付部３４ａの端部が溶着ボス３５ｂによって固着される。上記溶着ボス３５ｂは取付部３４ａの両側に突起が立設され、この突起の先端部が溶融一体化された熱カシメによって固定される。
【００３７】
図１１には、リーダーピン５の反対側に設置するロック部材３６のさらに他の態様を示している。
【００３８】
この態様では、線バネによるロック部材３６は略Ｕ字状に形成され、直線状の取付部３６ａから湾曲して開口部１０の方向に延びる腕部３６ｂの先端に、リーダーピン５の固定部５ｄに当接する保持部３６ｃが連接されている。そして、上記取付部３６ａの湾曲部がバネ装着部３７の凹部２５の壁面に近接して設けられた取付ボス３７ａに係合されると共に、取付部３６ａの端部が溶着ボス３７ｂによって固着される。上記溶着ボス３７ｂは凹部２５の壁面に近接する突起が立設され、その壁面との間に取付部３６ａが位置した状態で突起の先端部が壁面側に溶融された熱カシメによって固定される。
【００３９】
図１２には、リーダーピン５の反対側に設置するロック部材３８の他の態様を示している。
【００４０】
この態様では、線バネによるロック部材３８はクランク状に屈曲形成され、直線状の取付部３８ａから屈曲して該取付部３８ａと略平行に開口部１０の方向に延びる腕部３８ｂの先端に、リーダーピン５の固定部５ｄに当接する保持部３８ｃが連接されている。そして、上記腕部３８ｂの基端側の屈曲部がバネ装着部３９の取付ボス３９ａに係合されると共に、
取付部３８ａの端部が凹部２５の壁面に近接して設けられた取付ボス３９ｂと壁面との間に嵌合挟持されている。
【００４１】
図１３には、リーダーピン５の反対側に設置するロック部材４０のさらに他の態様を示している。
【００４２】
この態様では、線バネによるロック部材４０は略Ｌ字状に屈曲形成され、直線状の取付部４０ａから略９０゜屈曲して開口部１０の方向に延びる腕部４０ｂの先端に、リーダーピン５の固定部５ｄに当接する保持部４０ｃが連接されている。そして、上記取付部４０ａの屈曲部がバネ装着部４１の取付ボス４１ａに係合されると共に、取付部４０ａの端部が溶着ボス４１ｂによって固着される。上記溶着ボス４１ｂは取付部４０ａの両側に突起が立設され、この突起の先端部が溶融一体化された熱カシメによって固定される。
【００４３】
なお、前記収納部２０の当接部２２は連続した面で形成するほか、不連続形状に設けてもよく、また、その設置位置は前記係合部材６０の回動方向の変更等に応じて適宜変更される。この当接部２２は収納部２０における凹部周面２０ａの少なくとも開口部１０と反対の方向からケース前面側の範囲において、係合部材６０の回動方向の前面側の部分に形成するものである。
【図面の簡単な説明】
【図１】本発明の一つの実施の形態による磁気テープカートリッジの分解斜視図
【図２】スライドドアが開いた状態の開口部近傍の正面図
【図３】図２の上ケースを除去した状態の開口部近傍の平面図
【図４】リーダーピン収納部の斜視図
【図５】ロック部材の斜視図
【図６】他の実施の形態による磁気テープカートリッジの上ケースを除去した状態の開口部近傍の平面図
【図７】図６のＸ−Ｘ線に沿うバネ装着部の断面図
【図８】さらに他の実施の形態による磁気テープカートリッジの上ケースを除去した状態の開口部近傍の平面図
【図９】図８の溶着ボスの溶着前後の形態を示す断面図
【図１０】図６のロック部材の他の態様を示す磁気テープカートリッジの上ケースを除去した状態の開口部近傍の平面図
【図１１】さらに他の態様を示す同平面図
【図１２】さらに他の態様を示す同平面図
【図１３】さらに他の態様を示す同平面図
【図１４】従来の実施の形態によるローディング時の磁気テープカートリッジの上ケースを除去した状態の開口部近傍の平面図
【符号の説明】
１    磁気テープカートリッジ
２    上ケース
３    下ケース
４    カートリッジケース
５    リーダーピン
６    磁気テープ
７    リール
９    ロック部材
9a    取付部
9b    腕部
9c    保持部
10    開口部
20    収納部
22    当接部
23    バネ装着部
25    係合部材
【図１】
0004162109.tif 000002
【図２】
0004162109.tif 000003
【図３】
0004162109.tif 000004
【図４】
0004162109.tif 000005
【図５】
0004162109.tif 000006
【図６】
0004162109.tif 000007
【図７】
0004162109.tif 000008
【図８】
0004162109.tif 000009
【図９】
0004162109.tif 000010
【図１０】
0004162109.tif 000011
【図１１】
0004162109.tif 000012
【図１２】
0004162109.tif 000013
【図１３】
0004162109.tif 000014
【図１４】
0004162109.tif 000015